(57)【特許請求の範囲】
【請求項１】
回転可能に設けられた第１の一側リールと、
上記第１の一側リールに巻き付けられ、媒体における当該媒体の搬送方向に直交する媒体幅方向の長さである媒体幅よりも短いテープ幅でなり上記媒体の一側面に当接する第１の一側テープと、
回転可能に設けられた第２の一側リールと、
上記第２の一側リールに巻き付けられ、上記媒体幅よりも短いテープ幅でなり上記媒体幅方向に上記媒体幅よりも短い間隔を空けて上記第１の一側テープと並列に設けられ、上記媒体の上記一側面に当接する第２の一側テープと、
回転可能に設けられ、一方向に回転して上記媒体を上記第１の一側テープ及び上記第２の一側テープと重ねて巻き取る一方、逆方向に回転して上記媒体を放出するドラムと、
上記ドラムから放出された上記媒体を挟んで上記第１の一側テープと対向する位置に設けられ、上記媒体の他側面に当接し当該媒体を保持する第１の保持部と、
上記ドラムから放出された上記媒体を挟んで上記第２の一側テープと対向する位置に設けられ、上記媒体の上記他側面に当接し当該媒体を保持する第２の保持部と
を有する媒体収納繰出装置。
【請求項２】
上記第１の保持部は、
回転可能に設けられた第１の他側リールと、
上記第１の他側リールに巻き付けられ上記媒体幅よりも短いテープ幅でなり上記媒体を挟んで上記第１の一側テープと対向して上記媒体の上記他側面に当接する第１の他側テープと
からなり、
上記第２の保持部は、
回転可能に設けられた第２の他側リールと、
上記第２の他側リールに巻き付けられ上記媒体幅よりも短いテープ幅でなり上記媒体を挟んで上記第２の一側テープと対向して上記媒体の上記他側面に当接する第２の他側テープと
からなる
請求項１に記載の媒体収納繰出装置。
【請求項３】
上記第２の他側テープから上記媒体幅方向に沿って上記第１の他側テープへ向かう方向を第１方向、当該第１方向の逆方向を第２方向としたとき、
上記媒体が搬送される際に当該媒体の第２方向の端部が通過する最も第２方向側のラインである第２方向搬送限界ラインに上記媒体の第２方向端部が位置した際、上記第１の他側テープの第２方向端部は、上記媒体の第１方向端部よりも第２方向側に位置する
請求項２に記載の媒体収納繰出装置。
【請求項４】
上記媒体が搬送される際に当該媒体の第１方向の端部が通過する最も第１方向側のラインである第１方向搬送限界ラインに上記媒体の第１方向端部が位置した際、上記第１の他側テープの第１方向端部は、上記媒体における切れ目よりも第１方向側に位置する
請求項３に記載の媒体収納繰出装置。
【請求項５】
上記第１の他側テープの第１方向端部は、上記媒体における第１方向端部から上記媒体幅の１／４の長さだけ第２方向側の位置に存在する切れ目よりも第１方向側に位置する
請求項４に記載の媒体収納繰出装置。
【請求項６】
上記媒体収納繰出装置において取り扱われる上記媒体のうち上記媒体幅が最小の媒体の第２方向端部が上記第２方向搬送限界ラインに位置した際、上記第１の他側テープの第２方向端部は、当該媒体の第１方向端部よりも第２方向側に位置する
請求項３に記載の媒体収納繰出装置。
【請求項７】
上記媒体収納繰出装置において取り扱われる上記媒体のうち上記媒体幅が最小の媒体の第１方向端部が上記第１方向搬送限界ラインに位置した際、上記第１の他側テープの第１方向端部は、当該媒体における切れ目よりも上記第１方向側に位置する
請求項４に記載の媒体収納繰出装置。
【請求項８】
上記媒体が搬送される際に当該媒体の第１方向の端部が通過する最も第１方向側のラインである第１方向搬送限界ラインに上記媒体の第１方向端部が位置した際、上記第１の他側テープの第１方向端部は、上記媒体におけるスレッドの第１方向端部よりも上記第１方向側に位置する
請求項３に記載の媒体収納繰出装置。
【請求項９】
上記媒体収納繰出装置において取り扱われる上記媒体のうち、上記媒体の第１方向端部から上記スレッドの第１方向端部までの長さが最小の媒体における第１方向端部が上記第１方向搬送限界ラインに位置した際、上記第１の他側テープの第１方向端部は、当該媒体における上記スレッドの第１方向端部よりも上記第１方向側に位置する
請求項８に記載の媒体収納繰出装置。
【請求項１０】
回転可能に設けられた第３の一側リールと、
上記第３の一側リールに巻き付けられ、上記媒体幅よりも短いテープ幅でなり、上記媒体幅方向に上記媒体幅よりも短い間隔を空けて上記第１の一側テープ及び上記第２の一側テープと並列に設けられ、上記媒体の上記一側面に当接する第３の一側テープと、
回転可能に設けられた第３の他側リールと、
上記第３の他側リールに巻き付けられ、上記媒体幅よりも短いテープ幅でなり、上記媒体を挟んで上記第３の一側テープと対向して上記媒体の上記他側面に当接する第３の他側テープと
をさらに有する
請求項２に記載の媒体収納繰出装置。
【請求項１１】
上記第１の保持部は、
上記媒体を挟んで上記第１の一側テープと対向する位置に設けられ、上記ドラムに巻き付いた上記第１の一側テープの外周面に追従して当接し、当該ドラムから上記媒体を剥離させる第１のスクレーパでなり、
上記第２の保持部は、
上記媒体を挟んで上記第２の一側テープと対向する位置に設けられ、上記ドラムに巻き付いた上記第２の一側テープの外周面に追従して当接し、当該ドラムから上記媒体を剥離させる第２のスクレーパでなる
請求項１に記載の媒体収納繰出装置。
【請求項１２】
上記第２のスクレーパから上記媒体幅方向に沿って上記第１のスクレーパへ向かう方向を第１方向、当該第１方向の逆方向を第２方向としたとき、
上記媒体が搬送される際に当該媒体の第２方向の端部が通過する最も第２方向側のラインである第２方向搬送限界ラインに上記媒体の第２方向端部が位置した際、上記第１のスクレーパの第２方向端部は、上記媒体の第１方向端部よりも第２方向側に位置する
請求項１１に記載の媒体収納繰出装置。
【請求項１３】
上記媒体が搬送される際に当該媒体の第１方向の端部が通過する最も第１方向側のラインである第１方向搬送限界ラインに上記媒体の第１方向端部が位置した際、上記第１のスクレーパの第１方向端部は、上記媒体における切れ目よりも第１方向側に位置する
請求項１２に記載の媒体収納繰出装置。
【請求項１４】
上記第１のスクレーパの第１方向端部は、上記媒体における第１方向端部から上記媒体幅の１／４の長さだけ第２方向側の位置に存在する切れ目よりも第１方向側に位置する
請求項１３に記載の媒体収納繰出装置。
【請求項１５】
上記媒体収納繰出装置において取り扱われる上記媒体のうち上記媒体幅が最小の媒体の第２方向端部が上記第２方向搬送限界ラインに位置した際、上記第１のスクレーパの第２方向端部は、当該媒体の第１方向端部よりも第２方向側に位置する
請求項１２に記載の媒体収納繰出装置。
【請求項１６】
上記媒体収納繰出装置において取り扱われる上記媒体のうち上記媒体幅が最小の媒体の第１方向端部が上記第１方向搬送限界ラインに位置した際、上記第１のスクレーパの第１方向端部は、当該媒体における切れ目よりも上記第１方向側に位置する
請求項１３に記載の媒体収納繰出装置。
【請求項１７】
上記媒体が搬送される際に当該媒体の第１方向の端部が通過する最も第１方向側のラインである第１方向搬送限界ラインに上記媒体の第１方向端部が位置した際、上記第１のスクレーパの第１方向端部は、上記媒体におけるスレッドの第１方向端部よりも上記第１方向側に位置する
請求項１２に記載の媒体収納繰出装置。
【請求項１８】
上記媒体収納繰出装置において取り扱われる上記媒体のうち、上記媒体の第１方向端部から上記スレッドの第１方向端部までの長さが最小の媒体における第１方向端部が上記第１方向搬送限界ラインに位置した際、上記第１のスクレーパの第１方向端部は、当該媒体における上記スレッドの第１方向端部よりも上記第１方向側に位置する
請求項１７に記載の媒体収納繰出装置。
【請求項１９】
回転可能に設けられた第３の一側リールと、
上記第３の一側リールに巻き付けられ、上記媒体幅よりも短いテープ幅でなり、上記媒体幅方向に上記媒体幅よりも短い間隔を空けて上記第１の一側テープ及び上記第２の一側テープと並列に設けられ、上記媒体の上記一側面に当接する第３の一側テープと、
上記媒体を挟んで上記第３の一側テープと対向する位置に設けられ、上記ドラムに巻き付いた上記第３の一側テープの外周面に追従して当接し、当該ドラムから上記媒体を剥離させる第３のスクレーパと
をさらに有する
請求項１１に記載の媒体収納繰出装置。
【請求項２０】
媒体を搬送する媒体搬送路と、
上記媒体搬送路から上記媒体を挿入されると共に上記媒体を繰り出す媒体入出口と、
回転可能に設けられた第１の一側リールと、
上記第１の一側リールに巻き付けられ、媒体における当該媒体の搬送方向に直交する媒体幅方向の長さである媒体幅よりも短いテープ幅でなり上記媒体の一側面に当接する第１の一側テープと、
回転可能に設けられた第２の一側リールと、
上記第２の一側リールに巻き付けられ、上記媒体幅よりも短いテープ幅でなり上記媒体幅方向に上記媒体幅よりも短い間隔を空けて上記第１の一側テープと並列に設けられ、上記媒体の上記一側面に当接する第２の一側テープと、
回転可能に設けられ、一方向に回転して上記媒体入出口を介し挿入された上記媒体を上記第１の一側テープ及び上記第２の一側テープと重ねて巻き取る一方、逆方向に回転して上記媒体を巻き戻して放出し、上記媒体入出口を介して上記媒体搬送路に繰り出すドラムと、
上記ドラムから放出された上記媒体を挟んで上記第１の一側テープと対向する位置に設けられ、上記媒体の他側面に当接し当該媒体を保持する第１の保持部と、
上記ドラムから放出された上記媒体を挟んで上記第２の一側テープと対向する位置に設けられ、上記媒体の上記他側面に当接し当該媒体を保持する第２の保持部と
を有する媒体処理装置。
【発明の詳細な説明】
【技術分野】
【０００１】
本発明は、媒体収納繰出装置及び媒体処理装置に関し、例えば現金等の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する金種カセットとを有するものがある。
【０００４】
この現金自動預払機は、入金取引において、顧客が紙幣入出金口に紙幣を投入すると、投入された紙幣を鑑別部で鑑別し、正常紙幣と鑑別された紙幣を一時保留部で保留する一方、取引すべきでないと鑑別された紙幣を紙幣入出金口へ戻して顧客に返却する。続いて現金自動預払機は、顧客により入金金額が確定されると、一時保留部に保留した紙幣を鑑別部により金種を再鑑別し、鑑別された金種に応じて各金種カセットへ収納する。
【０００５】
例えば図２５に示す一時保留部７０５のように、上側リール７２７に巻かれた１本の上側テープ７３１及び下側リール７３５に巻かれた１本の下側テープ７３７の間に紙幣ＢＬを短辺方向に沿って整列させるよう挟持し、可動ガイド４０により紙幣ＢＬの折れ曲がり等を防ぎながら円筒形状のドラム２１に順次巻き付けることにより、多数の紙幣ＢＬを収納するものが提案されている（例えば、特許文献１参照）。
【０００６】
また一時保留部７０５は、上側テープ７３１及び下側テープ７３７を上側リール７２７及び下側リール７３５にそれぞれ巻き取りながら、ドラム２１を収納時とは反対方向に回転させることにより、収納している紙幣ＢＬを放出し、可動ガイド４０と対向して設けられた搬送ガイド４４により当該紙幣ＢＬの下側面をガイドし、外部に繰り出す。
【０００７】
ドラム２１に紙幣ＢＬが巻き取られていく際は、図２６に示すようにドラム２１の見かけ上の外形が大きくなっていく。このため搬送ガイド４４は、ドラム２１の見かけ上の外形が最大となった状態においても当該ドラム２１に接触しないよう、ドラム２１との間に空間ＳＰを空けて設けられている。
【０００８】
図２５（ａ）及び  図２６（ａ）においてドラム２１から紙幣ＢＬを放出する状態を矢印Ｂ方向から見た矢視図を図２７に示すように、紙幣ＢＬの下側面は１本の下側テープ７３７により保持されつつ、ドラム２１から搬送ガイド４４へ搬送される。
【先行技術文献】
【特許文献】
【０００９】
【特許文献１】特開２００９−１０７８２４公報（第２図）
【発明の概要】
【発明が解決しようとする課題】
【００１０】
ところで図２８に示すように、紙幣ＢＬには、市場で流通する過程において端部から切れ目５０が入ることがある。そのような紙幣ＢＬをドラム２１に一旦巻き取った後に放出する場合、図２９に示すように、紙幣ＢＬの搬送方向に直交する幅方向に切れ目５０が下側テープ７３７からずれて位置した状態で紙幣ＢＬが搬送されることがある。
【００１１】
そのような紙幣ＢＬが空間ＳＰ上方を通過する際、一時保留部７０５のように１本の上側テープ７３１及び１本の下側テープ７３７のみにより紙幣ＢＬを挟持する構成の場合、空間ＳＰには、紙幣ＢＬの下側面をガイドする部品がない。このため紙幣ＢＬは、切れ目５０から幅方向の外側部分が図３０に示すようにめくれて下に垂れてしまうことがある。
【００１２】
その場合、紙幣ＢＬにおいて垂れた部分が搬送ガイド４４に接触し、切れ目５０から外側のみが搬送ガイド４４の下方向に反れてゆき、切れ目５０の後端部で搬送ガイド４４に引っかかり、ジャムを発生させてしまう恐れがある。
【００１３】
また、仮に搬送ガイド４４には衝突しなくとも、現金自動預払機内部に設けられた他の部品に紙幣ＢＬの一部分が衝突し、ジャムを発生させてしまう恐れがある。
【００１４】
本発明は以上の点を考慮してなされたもので、媒体のジャムを防ぎ、信頼性を格段に高め得る媒体収納繰出装置及び媒体処理装置を提案しようとするものである。
【課題を解決するための手段】
【００１５】
かかる課題を解決するため本発明の媒体収納繰出装置においては、回転可能に設けられた第１の一側リールと、第１の一側リールに巻き付けられ、媒体における当該媒体の搬送方向に直交する媒体幅方向の長さである媒体幅よりも短いテープ幅でなり媒体の一側面に当接する第１の一側テープと、回転可能に設けられた第２の一側リールと、第２の一側リールに巻き付けられ、媒体幅よりも短いテープ幅でなり媒体幅方向に媒体幅よりも短い間隔を空けて第１の一側テープと並列に設けられ、媒体の一側面に当接する第２の一側テープと、回転可能に設けられ、一方向に回転して媒体を第１の一側テープ及び第２の一側テープと重ねて巻き取る一方、逆方向に回転して媒体を放出するドラムと、ドラムから放出された媒体を挟んで第１の一側テープと対向する位置に設けられ、媒体の他側面に当接し当該媒体を保持する第１の保持部と、ドラムから放出された媒体を挟んで第２の一側テープと対向する位置に設けられ、媒体の他側面に当接し当該媒体を保持する第２の保持部とを設けるようにした。
【００１６】
この媒体収納繰出装置は、媒体の先端が搬送中にめくれることを防止できる。
【００１７】
また本発明の媒体処理装置においては、媒体を搬送する媒体搬送路と、媒体搬送路から媒体を挿入されると共に媒体を繰り出す媒体入出口と、回転可能に設けられた第１の一側リールと、第１の一側リールに巻き付けられ、媒体における当該媒体の搬送方向に直交する媒体幅方向の長さである媒体幅よりも短いテープ幅でなり媒体の一側面に当接する第１の一側テープと、回転可能に設けられた第２の一側リールと、第２の一側リールに巻き付けられ、媒体幅よりも短いテープ幅でなり媒体幅方向に媒体幅よりも短い間隔を空けて第１の一側テープと並列に設けられ、媒体の一側面に当接する第２の一側テープと、回転可能に設けられ、一方向に回転して媒体入出口を介し挿入された媒体を第１の一側テープ及び第２の一側テープと重ねて巻き取る一方、逆方向に回転して媒体を巻き戻して放出し、媒体入出口を介して媒体搬送路に繰り出すドラムと、ドラムから放出された媒体を挟んで第１の一側テープと対向する位置に設けられ、媒体の他側面に当接し当該媒体を保持する第１の保持部と、ドラムから放出された媒体を挟んで第２の一側テープと対向する位置に設けられ、媒体の他側面に当接し当該媒体を保持する第２の保持部とを設けるようにした。
【００１８】
この媒体処理装置は、媒体の先端が搬送中にめくれることを防止できる。
【発明の効果】
【００１９】
本発明によれば、媒体の先端が搬送中にめくれることを防止でき、かくして本発明は、媒体のジャムを防ぎ、信頼性を格段に高め得る媒体収納繰出装置及び媒体処理装置を実現できる。
【図面の簡単な説明】
【００２０】
【図１】第１乃至第５の実施の形態による現金自動預払機の外観構成を示す略線的斜視図である。
【図２】第１乃至第５の実施の形態による現金自動預払機の内部構成を示す略線図である。
【図３】第１の実施の形態による一時保留部の構成を示す略線図である。
【図４】第１の実施の形態によるテープと紙幣の構成を示す略線的矢視図である。
【図５】テープと紙幣の切れ目との位置関係（１）を示す略線図である。
【図６】テープと紙幣の切れ目との位置関係（２）を示す略線図である。
【図７】テープと紙幣の切れ目との位置関係（３）を示す略線図である。
【図８】正常に搬送される紙幣を示す略線図である。
【図９】第１の実施の形態による一時保留部と従来との比較を示す略線図である。
【図１０】テープと紙幣のスレッドとの位置関係（１）を示す略線図である。
【図１１】テープと紙幣のスレッドとの位置関係（２）を示す略線図である。
【図１２】第３の実施の形態による一時保留部の構成を示す略線図である。
【図１３】スクレーパ及びテープと紙幣の構成を示す略線的矢視図である。
【図１４】スクレーパと紙幣の切れ目との位置関係（１）を示す略線図である。
【図１５】スクレーパと紙幣の切れ目との位置関係（２）を示す略線図である。
【図１６】スクレーパと紙幣のスレッドとの位置関係（１）を示す略線図である。
【図１７】スクレーパと紙幣のスレッドとの位置関係（２）を示す略線図である。
【図１８】第５の実施の形態による一時保留部の構成を示す略線図である。
【図１９】切れ目を２箇所有する紙幣を示す略線図である。
【図２０】テープ間に２箇所の切れ目がある場合のテープと紙幣の構成を示す略線的矢視図である。
【図２１】第５の実施の形態によるテープと紙幣の構成（１）を示す略線的矢視図である。
【図２２】第５の実施の形態によるテープと紙幣の構成（２）を示す略線的矢視図である。
【図２３】他の実施の形態による一時保留部の構成（１）を示す略線図である。
【図２４】他の実施の形態による一時保留部の構成（２）を示す略線図である。
【図２５】従来の一時保留部の構成（１）を示す略線図である。
【図２６】従来の一時保留部の構成（２）を示す略線図である。
【図２７】従来の一時保留部によるテープと紙幣の構成を示す略線的矢視図である。
【図２８】切れ目を１箇所有する紙幣を示す略線図である。
【図２９】従来の一時保留部によるテープと切れ目を有する紙幣の構成を示す略線的矢視図である。
【図３０】従来の一時保留部による紙幣の垂れを示す略線図である。
【発明を実施するための形態】
【００２１】
以下、発明を実施するための形態（以下実施の形態とする）について、図面を用いて詳細に説明する。
【００２２】
＜１．第１の実施の形態＞
［１−１．現金自動預払機の全体構成］
図１に外観を示すように、現金自動預払機１は、箱状の筐体２を中心に構成されており、顧客との間で現金に関する取引を行うようになされている。
【００２３】
筐体２は、その前面２Ａ側に顧客が対峙した状態で紙幣の投入やタッチパネルによる操作等をしやすい箇所、すなわち前面２Ａの上部から上面に渡る箇所に、接客部３が設けられている。
【００２４】
接客部３は、顧客との間で現金や通帳等を直接やり取りすると共に、取引に関する情報の通知や操作指示の受付を行うようになされており、硬貨入出金口１１、紙幣入出金口１２、通帳挿入口１３、カード挿入口１４及び表示操作部１５が設けられている。
【００２５】
硬貨入出金口１１及び紙幣入出金口１２は、顧客が入金する硬貨及び紙幣がそれぞれ投入されると共に、顧客へ出金する硬貨及び紙幣がそれぞれ排出される部分である。また硬貨入出金口１１及び紙幣入出金口１２は、それぞれに設けられたシャッタを駆動することにより開放又は閉塞するようになされている。因みに紙幣は、例えば長方形の紙で構成されており、市場で流通する過程において折り曲げられて扱われたり、形状がカールしていたりする場合もある。
【００２６】
通帳挿入口１３は、取引で使用される通帳が挿入され、取引が終了すると通帳が排出される部分である。この通帳挿入口１３の奥部には、取引内容等を通帳に記録する通帳処理部（図示せず）が設けられている。
【００２７】
カード挿入口１４は、キャッシュカード等の各種カードが挿入又は排出される部分である。カード挿入口１４の奥部には、各種カードに磁気記録された口座番号等の読み取りを行うカード処理部（図示せず）が設けられている。
【００２８】
表示操作部１５は、取引に際して操作画面を表示するＬＣＤ（Liquid Crystal Display）と、取引の種類の選択、暗証番号や取引金額などを入力するタッチパネルとが一体化されている。
【００２９】
図２は、図１の現金自動預払機１を矢印Ａ方向から見た側面図であり、当該現金自動預払機１の内部構成のうち主に紙幣の処理に関する部分を示している。同図に示したように、現金自動預払機１の内部には、上側に接客部３、紙幣の金種や真偽を判定する鑑別部４及び入金紙幣を一時的に保留する一時保留部５等が設けられており、下側に金種別のカセットでなる紙幣貯蔵部６等が設けられている。図中太線で示す搬送路７は、各部の間で紙幣を短辺方向に沿って搬送する。
【００３０】
この現金自動預払機１は、制御部８により全体を統括制御するようになされている。制御部８は、顧客が紙幣を入金する入金取引を行う場合、表示操作部１５を介して所定の操作入力を受け付けた後、紙幣入出金口１２のシャッタを開いて紙幣を投入させる。
【００３１】
続いて制御部８は、投入された紙幣を搬送路７を介して鑑別部４へ搬送して鑑別させ、正常紙幣と鑑別された紙幣を一時保留部５へ搬送して一時的に保留する一方、取引すべきでないと鑑別されたリジェクト紙幣を紙幣入出金口１２へ搬送して顧客に返却する。
【００３２】
その後制御部８は、表示操作部１５を介して顧客に入金金額を確定させ、一時保留部５に保留している紙幣を再び鑑別部４へ搬送して金種を再鑑別させて、鑑別された金種に応じて紙幣貯蔵部６の各カセットへ搬送し収納させるようになされている。
【００３３】
ところで筐体２は、前面２Ａ側やその反対側（すなわち背面側）等の一部の側面が開閉可能な扉により構成されている。すなわち筐体２は、顧客との間で現金に関する取引を行う取引動作時には、図１及び図２に示したように各扉を閉塞することにより、紙幣貯蔵部６等に格納している紙幣を保護する。一方筐体２は、作業者等が保守作業を行う保守作業時には、必要に応じて各扉を開放することにより、内部の各部に対する作業を容易に行わせ得る。
【００３４】
また現金自動預払機１は、この保守作業時に、背面の扉を開放した上で所定のスライド機構を介して一時保留部５を背面方向へ引き出す（図中破線で示す）と共に、その上面を背面方向へ向けるよう傾けることもできるようになされている。
【００３５】
［１−２．一時保留部の構成］
図３及び図４に、第１の実施の形態による一時保留部５を示す。図３（ａ）の図中左側が現金自動預払機１の前面側（以下、単に前側とも呼ぶ）であり、図中右側が現金自動預払機１の後面側（以下、単に後側とも呼ぶ）である。また図３（ｂ）は、図３（ａ）を後側から見た背面図である。さらに図４は、図３（ａ）を矢印Ｂ方向から見た矢視図である。
【００３６】
一時保留部５の前側面には、当該一時保留部５内部への紙幣ＢＬの出入り口となる紙幣入出口２２が穿設されている。
【００３７】
ドラム２１は、円筒状に構成されており、一時保留部５のフレーム２３に左右方向に沿って取り付けられたドラム軸２５を中心に巻取方向Ｒ１又は巻戻方向Ｒ２へ回転する。
【００３８】
第１上側リール２７ａは、糸巻き状に構成されており、ドラム２１の上側に設けられ、ドラム軸２５と平行にフレーム２３に取り付けられたリール軸２９を中心に回転する。この第１上側リール２７ａは、テープとしての第１上側テープ３１ａが巻き付けられている。
【００３９】
第２上側リール２７ｂは、第１上側リール２７ａと同様に糸巻き状に構成されており、当該第１上側リール２７ａの左側に紙幣ＢＬ幅方向の長さである紙幣幅よりも狭い間隔を空けて設けられ、リール軸２９を中心に回転する。この第２上側リール２７ｂは、第１上側テープ３１ａと同じテープ幅でなるテープとしての第２上側テープ３１ｂが巻き付けられている。
【００４０】
以下では、第１上側リール２７ａ及び第２上側リール２７ｂを上側リール２７とも呼び、第１上側テープ３１ａ及び第２上側テープ３１ｂを上側テープ３１とも呼ぶ。
【００４１】
上側テープ３１は、薄いフィルム状の樹脂でなり、その左右方向のテープ幅が紙幣ＢＬの長辺よりも十分に短くなっている。
【００４２】
このように第１上側テープ３１ａと第２上側テープ３１ｂとは、左右方向に紙幣ＢＬの紙幣幅よりもやや狭い間隔を空けて、並行に設けられている。
【００４３】
上側リール２７から見てドラム２１よりも前側の紙幣入出口２２付近には、ドラム軸２５と平行な回転軸を中心に回転する上側アイドルプーリ３３が左右方向に２つ並んで設けられている。
【００４４】
第１上側リール２７ａ及び第２上側リール２７ｂから引き出された第１上側テープ３１ａ及び第２上側テープ３１ｂは、前方向へ渡された後、上側アイドルプーリ３３を介して引き回されることにより後方向へ折り返される。さらに第１上側テープ３１ａ及び第２上側テープ３１ｂは、後述する可動ガイド４０に設けられた従動ローラ４２によりドラム２１に押し当てられ、その先端部が当該ドラム２１に固定されている。
【００４５】
第１下側リール３５ａは、第１上側リール２７ａと同様に糸巻き状に構成されており、当該第１上側リール２７ａの下方、すなわちドラム２１の下側に設けられ、ドラム軸２５と平行にフレーム２３に取り付けられたリール軸３６を中心に回転する。この第１下側リール３５ａは、第１上側テープ３１ａと同じテープ幅でなるテープとしての第１下側テープ３７ａが巻き付けられている。
【００４６】
第２下側リール３５ｂは、第１下側リール３５ａと同様に糸巻き状に構成されており、第２上側リール２７ｂの下方、すなわちドラム２１の下側であり、当該第１下側リール３５ａの左側に紙幣ＢＬの紙幣幅よりも狭い間隔を空けて設けられ、リール軸３６を中心に回転する。この第２下側リール３５ｂは、第２上側テープ３１ｂと同じテープ幅でなるテープとしての第２下側テープ３７ｂが巻き付けられている。
【００４７】
以下では、第１下側リール３５ａ及び第２下側リール３５ｂを下側リール３５とも呼び、第１下側テープ３７ａ及び第２下側テープ３７ｂを下側テープ３７とも呼ぶ。また第１上側テープ３１ａ及び第１下側テープ３７ａを第１テープ組と、第２上側テープ３１ｂ及び第２下側テープ３７ｂを第２テープ組とも呼ぶ。
【００４８】
下側テープ３７は、上側テープ３１と同様に樹脂でなり、その左右方向のテープ幅が紙幣ＢＬの長辺よりも十分に短くなっている。
【００４９】
このように第１下側テープ３７ａと第２下側テープ３７ｂとは、左右方向に紙幣ＢＬの紙幣幅よりもやや狭い間隔を空けて、並行に設けられている。
【００５０】
また上側アイドルプーリ３３の下方には、ドラム軸２５と平行な回転軸を中心に回転する下側アイドルプーリ３９が左右方向に２つ並んで設けられている。
【００５１】
第１下側リール３５ａ及び第２下側リール３５ｂから引き出された第１下側テープ３７ａ及び第２下側テープ３７ｂは、前方向へ渡された後、下側アイドルプーリ３９を介して引き回されることにより後方向へ向かう。
【００５２】
さらに第１下側テープ３７ａ及び第２下側テープ３７ｂは、後述する可動ガイド４０に設けられた従動ローラ４２によりドラム２１に押し当てられ、その先端部が当該ドラム２１の周側面における右端部近傍及び左端部近傍にそれぞれ固定されている。
【００５３】
また第１上側テープ３１ａ及び第２上側テープ３１ｂは、その先端がドラム２１の周側面において第１下側テープ３７ａ及び第２下側テープ３７ｂの外周側にそれぞれ重なるように、右端部近傍及び左端部近傍に固定されている。
【００５４】
一方可動ガイド４０は、ドラム２１の左右方向とほぼ同様の幅を有する板状に形成され、上側アイドルプーリ３３近傍からドラム２１の上部まで延びている。また可動ガイド４０は、その前端にドラム軸２５と平行に延びる回転軸４５が設けられることにより、当該回転軸４５を支点として回転可能に構成されると共に、図示しない弾性材により後端部がドラム２１側（下側）へ付勢されている。
【００５５】
さらに可動ガイド４０の後端近傍には、従動ローラ４２が取り付けられており、ドラム２１の回転に従動して回転し、ドラム２１に巻き取られた紙幣ＢＬの外周面に当接する。
【００５６】
下側アイドルプーリ３９には、紙幣ＢＬの幅方向よりも左右方向に広がり可動ガイド４０に対向する位置に板状の搬送ガイド４４が設けられている。この搬送ガイド４４は、紙幣ＢＬを一時保留部５から外部へ繰り出す際、当該ＢＬを上側アイドルプーリ３３と下側アイドルプーリ３９との間に導くようガイドする。
【００５７】
このように、可動ガイド４０と、当該可動ガイド４０に対向して設けられた搬送ガイド４４との隙間及び当該可動ガイド４０の下側面に渡って搬送路が形成されている。
【００５８】
ここで、ドラム２１にテープ及び紙幣ＢＬが巻き取られていくと、巻き取られたテープ及び紙幣ＢＬを含むドラム２１の見かけ上の外径が増加していく。搬送ガイド４４はドラム２１の見かけ上の外径が最大となる際において、巻き取られたテープ及び紙幣ＢＬに接触しない位置に設けられている。このため搬送ガイド４４とドラム２１との間には、ドラム２１から巻き戻された下側テープ３７の下方近傍に紙幣ＢＬの下側面を保持する各種部品が設けられていない空間ＳＰが存在する。
【００５９】
紙幣ＢＬを収納する際一時保留部５は、ドラム２１を巻取方向Ｒ１へ回転させ、その周側面に下側テープ３７及び上側テープ３１を重ねるようにして巻き付けていく。
【００６０】
紙幣入出口２２を介して挿入された紙幣ＢＬは、上側テープ３１及び下側テープ２７により上下から挟まれた状態で搬送され、ドラム２１の周側面に巻き付けられる。
【００６１】
ドラム２１は、多数の紙幣ＢＬが順次巻き付けられるに連れて、見かけ上の外径が増加していく。これに応じて可動ガイド４０は、回転軸４５を支点としてドラム２１により上方向へ徐々に持ち上げられる。
【００６２】
これにより可動ガイド４０は、ドラム２１に巻き取られた紙幣ＢＬに従動ローラ４２を常に当接させることができる。このため可動ガイド４０は、ドラム２１が回転する際に、長辺方向に折れ曲がる恐れを有しながらも上側テープ３１及び下側テープ３７により挟持された紙幣ＢＬを、長辺方向に伸ばしながら当該ドラム２１の周側面に押し付けるようガイドすることができる。
【００６３】
一方紙幣ＢＬを繰り出す際一時保留部５は、ドラム２１を巻戻方向Ｒ２へ回転させると共に、上側リール２７を図中時計回りに、下側リール３５を図中反時計回りにそれぞれ回転させることにより、上側テープ３１を上側リール２７の周側面に、下側テープ３７を下側リール３５の周側面に巻き付けていく。
【００６４】
これにより紙幣ＢＬは、ドラム２１から放出され、上側テープ３１と下側テープ３７との間を搬送されながら空間ＳＰの上方を通過し、搬送ガイド４４によりガイドされて搬送入出口２２から一時保留部５の外部に繰り出される。
【００６５】
このとき、図４に示すように、紙幣ＢＬにおける幅方向のほぼ中央部に、繰り出される際の搬送方向の先端から後ろ方向へ向かって切れ目５０が存在したとする。
【００６６】
第１上側テープ３１ａ及び第１下側テープ３７ａは、紙幣ＢＬにおける切れ目５０の右側を上下方向から挟持する。また第２上側テープ３１ｂ及び第２下側テープ３７ｂは、紙幣ＢＬにおける切れ目５０の左側を上下方向から挟持する。
【００６７】
すなわち一時保留部５は、紙幣ＢＬの切れ目５０の左右両側の上側面と下側面とを挟持する。このため一時保留部５は、紙幣ＢＬが空間ＳＰの上方を通過する際に、紙幣ＢＬの一部が切れ目５０から垂れ下がることを防止できる。
【００６８】
［１−３．テープ幅及びテープ位置の条件］
ところで一時保留部５を含む現金自動預払機１においては、図５に示すように紙幣ＢＬが搬送される搬送路において、紙幣ＢＬの搬送幅５１が予め決められている。
【００６９】
この搬送幅５１は、右側搬送限界ライン５２ａと左側搬送限界ライン５２ｂとの間の距離を示している。右側搬送限界ライン５２ａは、紙幣ＢＬが搬送される際に当該紙幣ＢＬが通過する右端のラインであり、現金自動預払機１においてそれ以上右側に紙幣ＢＬが位置しないよう設定されている。紙幣ＢＬは、右側搬送限界ライン５２ａよりも右側に位置ずれしないよう、例えば紙幣入出金口１２（図１）の幅方向の長さの設定等により物理的にその位置が規制されている。
【００７０】
左側搬送限界ライン５２ｂは、紙幣ＢＬが搬送される際に当該紙幣ＢＬが通過する左端のラインである。紙幣ＢＬは、左側搬送限界ライン５２ｂよりも左側に位置ずれしないよう、例えば紙幣入出金口１２の幅方向の長さの設定等により物理的にその位置が規制されているため、左側搬送限界ライン５２ｂを超えて位置ずれすることはない。
【００７１】
現金自動預払機１は、紙幣ＢＬを搬送する際に障害となる各種部品を、右側搬送限界ライン５２ａと左側搬送限界ライン５２ｂとの間を避けるように配置している。
【００７２】
また搬送幅５１は、当該現金自動預払機１において取り扱われる紙幣ＢＬのうちの最大の紙幣幅よりも大きく設計されている。
【００７３】
これにより、紙幣ＢＬが左右方向にずれたり、傾いてスキューしたりしても、現金自動預払機１は、当該現金自動預払機１内部の部品等に紙幣ＢＬを衝突させることなく、正常に搬送することができる。
【００７４】
本実施の形態における一時保留部５は、第１上側テープ３１ａ及び第１下側テープ３７ａ（第１テープ組）の右端と、第２上側テープ３１ｂ及び第２下側テープ３７ｂ（第２テープ組）の左端との間に紙幣ＢＬの切れ目５０が位置している場合、すなわち切れ目５０の左右にテープが配置されている場合、紙幣ＢＬの垂れ下がりを防止できる。
【００７５】
逆に第１上側テープ３１ａ及び第１下側テープ３７ａよりも右側、若しくは第２上側テープ３１ｂ及び第２下側テープ３７ｂよりも左側、すなわちテープの左右の外側に紙幣ＢＬの切れ目５０が位置している場合、当該切れ目５０の外側部分はテープにより保持されないため、垂れ下がってしまう。
【００７６】
これに対応するため、第１上側テープ３１ａ及び第１下側テープ３７ａを可能な限り右側に、第２上側テープ３１ｂ及び第２下側テープ３７ｂを可能な限り左側に配置すれば良いとも考えられる。
【００７７】
しかしながらその場合、例えば紙幣ＢＬが左側に位置ずれした際、当該紙幣ＢＬの右端が、第１上側テープ３１ａ及び第１下側テープ３７ａの左端よりも左側に位置してしまう可能性がある。
【００７８】
そのような場合、紙幣ＢＬは第１上側テープ３１ａ及び第１下側テープ３７ａにより挟持されないため、第２上側テープ３１ｂ及び第２下側テープ３７ｂのみにより挟持される状態になる。
【００７９】
この状態では、従来の一時保留部７０５（図２５）と同様に、上下から１本ずつのテープのみにより紙幣ＢＬの一側面及び他側面が挟持されることになってしまうため、紙幣ＢＬが切れ目５０からたわみ、搬送ガイド４４に衝突してしまう可能性がある。
【００８０】
このため本実施の形態による一時保留部５においては、紙幣ＢＬにおける切れ目５０を左右両側からテープにより保持しつつ、紙幣ＢＬが左右に位置ずれした場合においても紙幣ＢＬを左右２組のテープにより常に挟持するようにテープ幅及びテープ位置等が設定されている。
【００８１】
具体的には、図６に示すように、右端が右側搬送限界ライン５２ａ上に位置した状態の紙幣を紙幣ＢＬＲと、左端が左側搬送限界ライン５２ｂ上に位置した状態の紙幣を紙幣ＢＬＬとする。なお、図６において第２下側テープ３７ｂは省略している。
【００８２】
また、右側搬送限界ライン５２ａからそれぞれ、紙幣ＢＬＲの切れ目５０までの距離を距離Ｌ１、第１下側テープ３７ａの右端までの距離を距離Ｌ２、紙幣ＢＬＬの右端までの距離を距離Ｌ３とする。さらに第１下側テープ３７ａのテープ幅を長さＬ４としたとき、（１）式が成り立つようにする。
【００８３】
（数１）
Ｌ２＜Ｌ１……（１）
【００８４】
（１）式は、紙幣ＢＬＲの切れ目５０よりも第１下側テープ３７ａの右端の方が右側（外側）に位置する条件を表している。これにより一時保留部５は、紙幣ＢＬが最も右側に位置ずれした状態（紙幣ＢＬＲ）においても、第１下側テープ３７ａにより紙幣ＢＬＲの切れ目５０の外側を保持することができる。
【００８５】
さらに一時保留部５は、（２）式が成り立つようにしている。
【００８６】
（数２）
Ｌ２＞Ｌ３−Ｌ４……（２）
【００８７】
（２）式は、紙幣ＢＬＬの右端よりも第１下側テープ３７ａの左端の方が左側（内側）に位置することを表している。これにより一時保留部５は、紙幣ＢＬが最も左側に位置ずれした状態（紙幣ＢＬＬ）においても、第１下側テープ３７ａにより紙幣ＢＬＬを保持することができる。
【００８８】
（１）式と（２）式とを組み合わせると、下記（３）式が成り立つ。すなわち一時保留部５においては、（３）式が成り立つように、紙幣ＢＬの位置及び切れ目５０の位置に対する第１下側テープ３７ａ（すなわち第１テープ組）のテープ位置及びテープ幅が設定されている。
【００８９】
（数３）
Ｌ３−Ｌ４＜Ｌ２＜Ｌ１……（３）
【００９０】
ところで上述したように、紙幣ＢＬは市場で流通する過程において折り目を付けて折り曲げられて扱われることがある。同じ折り目から折り曲げられることを繰り返されると、紙幣ＢＬはその折り目から切れやすくなる。
【００９１】
また、紙幣ＢＬは長辺方向に２つ折り又は４つ折りにされることが多いため、紙幣ＢＬの長手方向の中央部分、又は長手方向の両端から長手方向長さの１／４だけ内側部分が、特に切れ目が入りやすい。
【００９２】
そこで一時保留部５は、上述した切れ目５０を、紙幣ＢＬの右端から紙幣幅の１／４だけ左側に寄った位置と設定している。また、紙幣ＢＬの長手方向の中央部分もまた切れやすいが、当該中央部分は、紙幣ＢＬが左右に位置ずれしたとしても、通常はテープにより外側を挟持されるため、上述した条件においては、紙幣ＢＬの右端から紙幣幅の１／４だけ左側に寄った位置に切れ目５０が存在することとした。
【００９３】
このとき、紙幣ＢＬの紙幣幅を長さＬａ、搬送幅５１を長さＬｂとすると、距離Ｌ１はＬａ／４、距離Ｌ３はＬｂ−Ｌａとなるので、この距離Ｌ１と距離Ｌ３とを（３）式に代入すると、（４）式が成り立つ。
【００９４】
（数４）
Ｌｂ−Ｌａ−Ｌ４＜Ｌ２＜Ｌａ／４……（４）
【００９５】
このように、一時保留部５においては、紙幣の端から紙幣幅の１／４の位置に存在する可能性が高い切れ目に対応するため、現金自動預払機１において取り扱われる紙幣ＢＬの紙幣幅の長さＬａ及び搬送幅の長さＬｂに対し、（４）式を満たすように第１下側テープ３７ａのテープ位置及びテープ幅が設定されている。
【００９６】
ところで、現金自動預払機１においては、複数種類のサイズの紙幣が取り扱われる。紙幣幅の長さＬａが短い紙幣の場合、その分距離Ｌ１もまた短くなるため、第１下側テープ３７ａを右側に位置させる必要がある。一方紙幣幅の長さＬａが短くなると、その分距離Ｌ３は長くなるため、第１下側テープ３７ａを過度に右側に位置させると当該第１下側テープ３７ａが紙幣自体を挟持できなくなる。
【００９７】
このように、紙幣幅の長さＬａが短くなると、（４）式を満足させることが厳しくなっていくが、一時保留部５においては、そのような紙幣幅の長さＬａが最も短い紙幣であっても、（４）式を満たすように設定されている。
【００９８】
これにより一時保留部５は、当該一時保留部５において取り扱う全ての種類の紙幣を、常に左右２組のテープで挟持しつつ、紙幣に生じた切れ目の左右両側を左右２組のテープで挟持することにより、紙幣の一部をたわませることなく、搬送することができる。
【００９９】
以上においては、紙幣ＢＬにおける右端から紙幣幅の１／４の距離に切れ目５０が存在する紙幣ＢＬと第１下側テープ３７ａ（すなわち第１テープ組）のテープ位置及びテープ幅との関係について述べたが、図７に示すように、紙幣ＢＬにおける左端から紙幣幅の１／４の距離に切れ目５０が存在する紙幣ＢＬと第２下側テープ３７ｂ（すなわち第２テープ組）とについては、上述した説明における左右方向を反転して設定すれば良い。
【０１００】
具体的には、左側搬送限界ライン５２ｂからそれぞれ、紙幣ＢＬＬの切れ目５０までの距離を距離Ｌ１１、第２下側テープ３７ｂの左端までの距離を距離Ｌ１２、紙幣ＢＬＲの左端までの距離を距離Ｌ１３とする。さらに第２下側テープ３７ｂのテープ幅を長さＬ１４とする。
【０１０１】
そして、上述した距離Ｌ１、Ｌ２、Ｌ３及び長さＬ４を距離Ｌ１１、Ｌ１２、Ｌ１３及び長さＬ１４に置き換えて、（１）〜（４）式が成り立つようにすれば良い。
【０１０２】
［１−４．動作及び効果］
以上の構成において、一時保留部５は、紙幣ＢＬを繰り出す際、回転可能に設けられた第１の一側リールとしての第１上側リール２７ａの周側面に、紙幣ＢＬの一側面としての上側面に当接する第１の一側テープとしての第１上側テープ３１ａを巻き付けていく。
【０１０３】
また一時保留部５は、回転可能に設けられた第２の一側リールとしての第２上側リール２７ｂの周側面に、左右方向に紙幣幅よりも短い間隔を空けて第１の上側テープ３１ａと並列に設けられ、紙幣ＢＬの上側面に当接する第２の一側テープとしての第２上側テープ３１ｂをそれぞれ巻き付けていく。
【０１０４】
それと共に一時保留部５は、回転可能に設けられた第１の他側リールとしての第１下側リール３５ａの周側面に、紙幣ＢＬを挟んで第１の上側テープ３１ａと対向する位置に設けられ、紙幣ＢＬの他側面としての下側面に当接する第１の他側テープとしての第１下側テープ３７ａを巻き付けていく。
【０１０５】
また一時保留部５は、回転可能に設けられた第２の他側リールとしての第２下側リール３５ｂの周側面に、紙幣ＢＬを挟んで第２の上側テープ３１ｂと対向する位置に設けられ、紙幣ＢＬの下側面に当接する第２の他側テープとしての第２下側テープ３７ｂを巻き付けていく。
【０１０６】
これにより紙幣ＢＬは、ドラム２１から放出され、上側テープ３１と下側テープ３７との間を搬送されながら空間ＳＰの上方を通過し、搬送ガイド４４によりガイドされて搬送入出口２２から一時保留部５の外部に繰り出される。
【０１０７】
このとき一時保留部５は、第１上側テープ３１ａと第１下側テープ３７ａとにより紙幣ＢＬの右端部近傍を上下方向から挟持すると共に、第２上側テープ３１ｂと第２下側テープ３７ｂとにより紙幣ＢＬの左端部近傍を上下方向から挟持する。
【０１０８】
このため一時保留部５は、紙幣ＢＬの切れ目５０が、第１テープ組の右端と第２テープ組の左端との間に位置する場合、この切れ目５０の左右部分をそれぞれ上下方向から挟持することができる。
【０１０９】
これにより一時保留部５は、図８に示すように空間ＳＰ部分を搬送する間に紙幣ＢＬが切れ目から上方向又は下方向にめくれることを防ぎながら、搬送ガイド４４まで搬送し、一時保留部５の外部に繰り出すことができる。かくして一時保留部５は、紙幣ＢＬが搬送ガイド４４に衝突してしまうことを防止することができる。
【０１１０】
ところで、図９（ｂ）に示すように、紙幣ＢＬの下側面を２本のテープにより保持し、当該下側面の２本のテープとは紙幣の厚み方向に重複しない位置で、紙幣ＢＬの上側面を１本のテープにより保持する紙幣収納繰出装置（例えば特開２００８−１２３０９３）が提案されている。
【０１１１】
しかしながらこの紙幣収納繰出装置の場合、紙幣ＢＬに対しテープが１本しか設けられていない上側面に関しては、従来と同程度にしか紙幣ＢＬを保持できない。
【０１１２】
また図９（ｂ）下図に示すように、紙幣ＢＬの長辺方向（図中左右方向）の中央部がたわむようにカールしている紙幣ＢＬについては、そのような構成の３本のテープでは挟持することができない。このため紙幣ＢＬは垂れ下がり、搬送ガイド等に衝突してしまう可能性がある。
【０１１３】
これに対し本実施の形態による一時保留部５は、左右方向に並行して設けられた第１上側テープ３１ａ及び第２上側テープ３１ｂと、当該第１上側テープ３１ａ及び第２上側テープ３１ｂに対向する第１下側テープ３７ａ及び第２下側テープ３７ｂとを設けている。
【０１１４】
これにより図９（ａ）に示すように一時保留部５は、カールしている紙幣ＢＬの左右部分を上下方向からそれぞれ挟持することができる。このため一時保留部５は、紙幣ＢＬの左右方向の中央部分の垂れ下がりを抑止することができる。
【０１１５】
以上の構成によれば、一時保留部５は、第１上側テープ３１ａと第１下側テープ３７ａとにより紙幣ＢＬの右端部近傍を上下方向から挟持すると共に、第２上側テープ３１ｂと第２下側テープ３７ｂとにより紙幣ＢＬの左端部近傍を上下方向から挟持する。
【０１１６】
このため一時保留部５は、紙幣ＢＬにおける切れ目５０の左右両側を挟持することができる。
【０１１７】
これにより一時保留部５は、紙幣ＢＬの先端が搬送中にめくれることを防止することができる。かくして現金自動預払機１は、紙幣ＢＬのジャムを防ぎ、信頼性を格段に高めることができる。
【０１１８】
＜２．第２の実施の形態＞
［２−１．一時保留部の構成］
図１及び図２に示す第２の実施の形態による現金自動預払機１０１は、第１の実施の形態による現金自動預払機１と比べて、一時保留部１０５が一時保留部５と異なっているものの、それ以外は同様に構成されている。
【０１１９】
第２の実施の形態による現金自動預払機１０１は、現金自動預払機１とは異なり、図１０に示す紙幣ＢＬ１を取り扱っている。
【０１２０】
紙幣ＢＬ１は、その長辺の一端から他端まで短辺方向に沿って直線状に織り込まれた薄型帯状でなるセキュリティ用のスレッド６０を有している。
【０１２１】
このスレッド６０は、紙幣ＢＬ１の紙部分６２とは異なる材質でなり、一般的に紙部分６２よりも固く形成されている。スレッド６０と紙部分６２との境目は、材質の違いにより、切れ目が入りやすい傾向にある。
【０１２２】
このため紙幣ＢＬ１は、そのような切れ目から当該紙幣ＢＬ１の一部が搬送中にめくれてしまう可能性がある。
【０１２３】
第２の実施の形態による一時保留部１０５においては、スレッド６０を有する紙幣ＢＬ１に対し、切れ目の入りやすいスレッド６０と紙部分６２との境目を左右両側からテープにより保持しつつ、紙幣ＢＬ１が左右に位置ずれした場合においても紙幣ＢＬ１を左右２組のテープにより常に挟持するようにテープ幅及びテープ位置等が設定されている。
【０１２４】
［２−２．スレッドに対するテープ幅及びテープ位置の条件］
具体的には、図１０に示したように、右端が右側搬送限界ライン５２ａ上に位置した状態の紙幣を紙幣ＢＬ１Ｒと、左端が左側搬送限界ライン５２ｂ上に位置した状態の紙幣を紙幣ＢＬ１Ｌとする。なお、図１０において第２下側テープ１３７ｂは省略している。
【０１２５】
また、右側搬送限界ライン５２ａからそれぞれ、紙幣ＢＬ１Ｒにおけるスレッド６０の右端までの距離を距離Ｌ５、第１下側テープ１３７ａの右端までの距離を距離Ｌ６、紙幣ＢＬ１Ｌの右端までの距離を距離Ｌ７とする。さらに第１下側テープ１３７ａのテープ幅を長さＬ８したとき、（５）式が成り立つようにする。
【０１２６】
なおスレッド６０の左端は右端よりも内側に位置しており、当該スレッド６０の右端の外側を第１下側テープ１３７ａで保持できていれば、スレッド６０の左端の外側を保持できていることになるため、左端については条件から省略する。
【０１２７】
（数５）
Ｌ７＜Ｌ６……（５）
【０１２８】
（５）式は、紙幣ＢＬ１Ｒにおけるスレッド６０の右端よりも第１下側テープ１３７ａの右端の方が右側（外側）に位置する条件を表している。これにより一時保留部１０５は、紙幣ＢＬ１が最も右側に位置ずれした状態（紙幣ＢＬ１Ｒ）においても、第１下側テープ１３７ａにより紙幣ＢＬ１Ｒにおけるスレッド６０の右端を保持することができる。
【０１２９】
さらに一時保留部１０５は、（６）式が成り立つようにしている。
【０１３０】
（数６）
Ｌ６＞Ｌ７−Ｌ８……（６）
【０１３１】
（６）式は、紙幣ＢＬ１Ｌの右端よりも第１下側テープ１３７ａの左端の方が左側（内側）に位置することを表している。これにより一時保留部１０５は、紙幣ＢＬ１が最も左側に位置ずれした状態（紙幣ＢＬ１Ｌ）においても、第１下側テープ１３７ａにより紙幣ＢＬＬを保持することができる。
【０１３２】
（５）式と（６）式とを組み合わせると、下記（７）式が成り立つ。すなわち一時保留部１０５においては、（７）式が成り立つように、紙幣ＢＬ１の位置及びスレッド６０の位置に対する第１下側テープ１３７ａ（すなわち第１テープ組）のテープ位置及びテープ幅が設定されている。
【０１３３】
（数７）
Ｌ７−Ｌ８＜Ｌ６＜Ｌ５……（７）
【０１３４】
第１の実施の形態と同様、現金自動預払機１０１においては、複数種類のサイズの紙幣が取り扱われる。一時保留部１０５は、そのような紙幣のうち、紙幣幅の長さＬａが最も短い紙幣であっても、（７）式を満たすように設定されている。
【０１３５】
また現金自動預払機１０１においては、紙幣の種類によって、紙幣における長辺方向の様々な位置にスレッドが設けられている。
【０１３６】
紙幣の右端からスレッドの右端までの距離が短い紙幣の場合、その分距離Ｌ５もまた短くなるため、第１下側テープ１３７ａを右側に位置させる必要がある。しかしながら第１下側テープ１３７ａを過度に右側に位置させると当該第１下側テープ１３７ａが紙幣自体を挟持できなくなる。
【０１３７】
一時保留部１０５は、取り扱う複数種類の紙幣のうち、最もスレッドが外側に寄って設けられている紙幣であっても、（７）式を満たすように設定されている。
【０１３８】
これにより一時保留部１０５は、当該一時保留部１０５において取り扱う全ての種類の紙幣を、常に左右２組のテープで挟持しつつ、紙幣に設けられたスレッド６０と紙部分６２との境目において発生する恐れのある切れ目の位置の両側を左右２組のテープで保持することにより、紙幣の一部をたわませることなく、搬送することができる。
【０１３９】
以上においては、紙幣ＢＬ１における右端寄りにスレッド６０が設けられている場合について述べたが、図１１に示すように、紙幣ＢＬ１における左端寄りにスレッド６０が設けられている場合においては、上述した説明における左右方向を反転して設定すれば良い。
【０１４０】
具体的には、左側搬送限界ライン５２ｂからそれぞれ、紙幣ＢＬ１Ｌにおけるスレッド６０の左端までの距離を距離Ｌ１５、第２下側テープ１３７ｂの左端までの距離を距離Ｌ１６、紙幣ＢＬ１Ｒの左端までの距離を距離Ｌ１７とする。さらに第２下側テープ１３７ｂのテープ幅を、長さＬ１８とする。
【０１４１】
そして、上述した距離Ｌ５、Ｌ６、Ｌ７及び長さＬ８を距離Ｌ１５、Ｌ１６、Ｌ１７及び長さＬ１８に置き換えて、（５）〜（７）式が成り立つようにすれば良い。
【０１４２】
以上の構成によれば、一時保留部１０５は、スレッド６０が設けられた紙幣ＢＬ１を常に左右２組のテープで挟持しつつ、切れ目が発生する恐れのある、紙幣ＢＬ１に設けられたスレッド６０と紙部分６２との境目部分の両側をテープで保持することにより、紙幣の一部を反らせることなく、搬送することができる。
【０１４３】
＜３．第３の実施の形態＞
［３−１．一時保留部の構成］
図１及び図２に示す第３の実施の形態による現金自動預払機２０１は、第１の実施の形態による現金自動預払機１と比べて、一時保留部２０５が一時保留部５と異なっているものの、それ以外は同様に構成されている。
【０１４４】
一時保留部２０５は、図１２と、図１２（ａ）を矢印Ｂ方向から見た矢視図を図１３に示すように、一時保留部５（図３及び図４）と比べて下側リール３５及び下側テープ３７を有していない一方、スクレーパ７０が設けられている。
【０１４５】
スクレーパ７０は、第１上側テープ３１ａの下部において紙幣ＢＬを挟んで当該第１上側テープ３１ａと対向する位置に設けられた第１スクレーパ７０ａと、第２上側テープ３１ｂの下部において紙幣ＢＬを挟んで当該第２上側テープ３１ｂと対向する位置に設けられた第２スクレーパ７０ｂとから構成されている。
【０１４６】
すなわち、第１スクレーパ７０ａと第２スクレーパ７０ｂとは互いに、第１上側テープ３１ａと第１上側テープ３１ｂとの間の距離と同じ間隔を空けて、第１上側テープ３１ａ及び第２上側テープ３１ｂの下部にそれぞれ設けられている。
【０１４７】
また第１スクレーパ７０ａ及び第２スクレーパ７０ｂは、下側アイドルプーリ３９の回転軸を軸として互いに独立して回転可能に設けられ、ドラム２１まで伸びており、図示しない弾性材により後方端部がドラム２１側（下側）へ付勢されている。
【０１４８】
また第１スクレーパ７０ａ及び第２スクレーパ７０ｂは、前端部から後端部に向かうに連れて左右方向の幅が細くなっており、ドラム２１に巻かれたテープに接触する後端部が、最も幅が狭い最小幅部分となっている。さらに第１スクレーパ７０ａ及び第２スクレーパ７０ｂは、後端部の幅が上側第１テープ３１ａ及び上側第２テープ３１ｂのテープ幅よりもそれぞれ短く構成されている。
【０１４９】
これにより第１スクレーパ７０ａの後端部は、ドラム２１に巻かれた第１上側テープ３１ａの外周面に常時接触する。同様に第２スクレーパ７０ｂの後端部は、ドラム２１に巻かれた第２上側テープ３１ｂの外周面に常時接触する。
【０１５０】
紙幣ＢＬを収納する際、一時保留部２０５は、ドラム２１を巻取方向Ｒ１へ回転させると、その周側面に上側テープ３１を巻き付けていく。
【０１５１】
紙幣入出口２２を介して挿入された紙幣ＢＬは、上側テープ３１により外周側から抑えられるようにして、ドラム２１の周側面に巻き付けられる。
【０１５２】
可動ガイド４０は、紙幣ＢＬが順次巻き付けられるに連れて見かけ上の外径が増加していくドラム２１によって回転軸４５を支点として上方向へ徐々に持ち上げられることにより従動ローラ４２を常にドラム２１に当接させ、上側テープ３１により抑えられた紙幣ＢＬをドラム２１の周側面に押し付けるようガイドする。
【０１５３】
一方紙幣ＢＬを繰り出す際、一時保留部２０５は、ドラム２１を巻戻方向Ｒ２へ回転させると共に、上側リール２７を図中時計回りに回転させることにより、上側テープ３１を上側リール２７の周側面に巻き付けていく。
【０１５４】
これにより紙幣ＢＬは、ドラム２１における上側テープ３１からスクレーパ７０により剥離され、空間ＳＰの上方を通過し、搬送ガイド４４によりガイドされて搬送入出口２２から一時保留部５の外部に繰り出される。
【０１５５】
このとき、図１３に示したように、紙幣ＢＬにおける幅方向のほぼ中央部に、先端から後ろ方向へ向かって切れ目５０が存在したとする。
【０１５６】
第１スクレーパ７０ａ及び第２スクレーパ７０ｂは、紙幣ＢＬにおける切れ目５０の右側及び左側の下側面に設けられ、当該紙幣ＢＬを下側から保持することにより、紙幣ＢＬの一部が切れ目５０から垂れることを防止することができる。
【０１５７】
［３−２．スクレーパ幅及びテープ位置の条件］
本実施の形態における一時保留部２０５は、第１スクレーパ７０ａの最小幅部分における右端と、第２スクレーパ７０ｂの最小幅部分における左端との間に紙幣ＢＬの切れ目５０が位置している場合、すなわち切れ目５０の左右にスクレーパ７０が配置されている場合、紙幣ＢＬの垂れ下がりを防止できる。
【０１５８】
しかしながら第１スクレーパ７０ａの最小幅部分よりも右側、若しくは第２スクレーパ７０ｂの最小幅部分よりも左側、すなわちスクレーパ７０の左右の外側に紙幣ＢＬの切れ目５０が位置している場合、当該切れ目５０の外側部分はスクレーパ７０により保持されないため、垂れ下がってしまう。
【０１５９】
これに対応するため、第１スクレーパ７０ａを可能な限り右側に、第２スクレーパ７０ｂを可能な限り左側に配置すれば良いとも考えられる。
【０１６０】
しかしながらその場合、例えば紙幣ＢＬが左側に位置ずれした際、当該紙幣ＢＬの右端が、第１スクレーパ７０ａの最小幅部分における左端よりも左側に位置してしまう可能性がある。
【０１６１】
そのような場合、紙幣ＢＬは第１スクレーパ７０ａにより保持されないため、第２スクレーパ７０ｂのみにより保持される状態になる。
【０１６２】
この状態では、上側面からは１本のテープのみで、下側面からは１つのスクレーパのみで保持されるだけになってしまうため、紙幣ＢＬが切れ目５０からたわみ、搬送ガイド４４に衝突してしまう可能性がある。
【０１６３】
このため本実施の形態による一時保留部２０５においては、紙幣ＢＬにおける切れ目５０を左右両側の下方からスクレーパ７０により保持しつつ、紙幣ＢＬが左右に位置ずれした場合においても紙幣ＢＬを左右２つのスクレーパ７０により常に保持するようにスクレーパ７０の最小幅部分の幅（以下では、スクレーパ幅とも呼ぶ）及びスクレーパ位置等が設定されている。
【０１６４】
具体的には、図１４に示すように右側搬送限界ライン５２ａからそれぞれ、紙幣ＢＬＲの切れ目５０までの距離を距離Ｌ２１、第１スクレーパ７０ａの最小幅部分における右端までの距離を距離Ｌ２２、紙幣ＢＬＬの右端までの距離を距離Ｌ２３とする。さらに第１スクレーパ７０ａのスクレーパ幅を長さＬ２４としたとき、（８）式が成り立つようにする。なお、図１４において第２スクレーパ７０ｂは省略している。
【０１６５】
（数８）
Ｌ２２＜Ｌ２１……（８）
【０１６６】
（８）式は、紙幣ＢＬＲの切れ目５０よりも第１スクレーパ７０ａの最小幅部分における右端の方が右側（外側）に位置する条件を表している。これにより一時保留部２０５は、紙幣ＢＬが最も右側に位置ずれした状態（紙幣ＢＬＲ）においても、第１スクレーパ７０ａにより紙幣ＢＬＲの切れ目５０の外側を保持することができる。
【０１６７】
さらに一時保留部２０５は、（９）式が成り立つようにしている。
【０１６８】
（数９）
Ｌ２２＞Ｌ２３−Ｌ２４……（９）
【０１６９】
（９）式は、紙幣ＢＬＬの右端よりも第１スクレーパ７０ａの最小幅部分における左端の方が左側（内側）に位置することを表している。これにより一時保留部２０５は、紙幣ＢＬが最も左側に位置ずれした状態（紙幣ＢＬＬ）においても、第１スクレーパ７０ａにより紙幣ＢＬＬを保持することができる。
【０１７０】
（８）式と（９）式とを組み合わせると、下記（１０）式が成り立つ。すなわち一時保留部２０５においては、（１０）式が成り立つように、紙幣ＢＬの位置及び切れ目５０の位置に対する第１スクレーパ７０ａのスクレーパ位置及びスクレーパ幅が設定されている。
【０１７１】
（数１０）
Ｌ２３−Ｌ２４＜Ｌ２２＜Ｌ２１……（１０）
【０１７２】
ところで上述したように、紙幣ＢＬは長辺方向に２つ折り又は４つ折りにされることが多いため、紙幣ＢＬの長手方向の中央部分、又は長手方向の両端から長手方向長さの１／４だけ内側部分が、特に切れ目が入りやすい。
【０１７３】
そこで一時保留部２０５は、上述した切れ目５０を、紙幣ＢＬの右端から紙幣幅の１／４だけ左側に寄った位置と設定している。また、紙幣ＢＬの長手方向の中央部分もまた切れやすいが、当該中央部分は、紙幣ＢＬが左右に位置ずれしたとしても、通常はスクレーパにより外側を保持されるため、上述した条件においては、紙幣ＢＬの右端から紙幣幅の１／４だけ左側に寄った位置に切れ目５０が存在することとした。
【０１７４】
このとき、紙幣ＢＬの紙幣幅を長さＬａ、搬送幅５１を長さＬｂとすると、距離Ｌ２１はＬａ／４、距離Ｌ２３はＬｂ−Ｌａとなるので、この距離Ｌ２１と距離Ｌ２３とを（１０）式に代入すると、（１１）式が成り立つ。
【０１７５】
（数１１）
Ｌｂ−Ｌａ−Ｌ２４＜Ｌ２２＜Ｌａ／４……（１１）
【０１７６】
このように、一時保留部２０５においては、紙幣の端から紙幣幅の１／４の位置に存在する可能性が高い切れ目に対応するため、現金自動預払機２０１において取り扱われる紙幣ＢＬの紙幣幅の長さＬａ及び搬送幅の長さＬｂに対し、（１１）式を満たすように第１スクレーパ７０ａのスクレーパ位置及びスクレーパ幅が設定されている。
【０１７７】
ところで、現金自動預払機２０１においては、複数種類のサイズの紙幣が取り扱われる。紙幣幅の長さＬａが短い紙幣の場合、その分距離Ｌ２１もまた短くなるため、第１スクレーパ７０ａを右側に位置させる必要がある。一方紙幣幅の長さＬａが短くなると、その分距離Ｌ２３は長くなるため、第１スクレーパ７０ａを過度に右側に位置させると第１スクレーパ７０ａが紙幣自体を保持できなくなる。
【０１７８】
このように、紙幣幅の長さＬａが短くなると、（１１）式を満足させることが厳しくなっていくが、一時保留部２０５においては、そのような紙幣幅の長さＬａが最も短い紙幣であっても、（１１）式を満たすように設定されている。
【０１７９】
これにより一時保留部２０５は、当該一時保留部２０５において取り扱う全ての種類の紙幣を、常に左右２つのスクレーパ７０で保持しつつ、紙幣に生じた切れ目の左右両側を左右２つのスクレーパ７０で保持することにより、紙幣の一部をたわませることなく、搬送することができる。
【０１８０】
以上においては、紙幣ＢＬにおける右端から紙幣幅の１／４の距離に切れ目５０が存在する紙幣ＢＬと第１スクレーパ７０ａのスクレーパ位置及びスクレーパ幅との関係について述べたが、図１５に示すように、紙幣ＢＬにおける左端から紙幣幅の１／４の距離に切れ目５０が存在する紙幣ＢＬと第２スクレーパ７０ｂとについては、上述した説明における左右方向を反転して設定すれば良い。
【０１８１】
具体的には、左側搬送限界ライン５２ｂからそれぞれ、紙幣ＢＬＬの切れ目５０までの距離を距離Ｌ３１、第２スクレーパ７０ｂの最小幅部分における左端までの距離を距離Ｌ３２、紙幣ＢＬＲの左端までの距離を距離Ｌ３３とする。さらに第２スクレーパ７０ｂの最小幅部分におけるスクレーパ幅を長さＬ３４とする。
【０１８２】
そして、上述した距離Ｌ２１、Ｌ２２、Ｌ２３及び長さＬ２４を距離Ｌ３１、Ｌ３２、Ｌ３３及び長さＬ３４に置き換えて、（８）〜（１１）式が成り立つようにすれば良い。
【０１８３】
［３−３．動作及び効果］
以上の構成において、一時保留部２０５は、紙幣ＢＬを繰り出す際、回転可能に設けられた第１の一側リールとしての第１上側リール２７ａの周側面に、紙幣ＢＬの一側面としての上側面に当接する第１の一側テープとしての第１上側テープ３１ａを巻き付けていく。
【０１８４】
また一時保留部２０５は、回転可能に設けられた第２の一側リールとしての第２上側リール２７ｂの周側面に、左右方向に紙幣幅よりも短い間隔を空けて第１の上側テープ３１ａと並列に設けられ、紙幣ＢＬの上側面に当接する第２の一側テープとしての第２上側テープ３１ｂをそれぞれ巻き付けていく。
【０１８５】
これにより紙幣ＢＬは、ドラム２１における第１上側テープ３１ａ及び第２上側テープ３１ｂからそれぞれ第１スクレーパ７０ａ及び第２スクレーパ７０ｂにより剥がされ、空間ＳＰの上方を通過し、搬送ガイド４４によりガイドされて搬送入出口２２から一時保留部２０５の外部に繰り出される。
【０１８６】
このとき一時保留部２０５は、第１スクレーパ７０ａにより紙幣ＢＬの右端部近傍を下方向から保持すると共に、第２スクレーパ７０ｂにより紙幣ＢＬの左端部近傍を下方向から保持する。
【０１８７】
このため一時保留部２０５は、紙幣ＢＬの切れ目５０が、第１スクレーパ７０ａの最小幅部分における右端と第２スクレーパ７０ｂの最小幅部分における左端との間に位置する場合、この切れ目５０の左右部分をそれぞれ下方向から保持することができる。
【０１８８】
これにより一時保留部２０５は、空間ＳＰ部分を搬送する間に紙幣ＢＬが切れ目から下方向にめくれることを防ぎながら、搬送ガイド４４まで搬送し、一時保留部２０５の外部に繰り出すことができる。かくして一時保留部２０５は、紙幣ＢＬが搬送ガイド４４に衝突してしまうことを防止することができる。
【０１８９】
ところで一時保留部２０５においては、ドラム２１に収納する紙幣ＢＬの厚みが不均一であった等の場合、第１上側テープ３１ａがドラム２１に巻かれている部分と、第２上側テープ３１ｂがドラム２１に巻かれている部分との見かけ上の外径が異なってしまう場合がある。
【０１９０】
そのような場合においても、第１スクレーパ７０ａ及び第２スクレーパ７０ｂは互いに独立して回動するようにしたため、それぞれがドラム２１に巻かれた第１上側テープ３１ａ及び第２上側テープ３１ｂの外周面に常時当接することができ、ドラム２１から紙幣を剥がすことができる。
【０１９１】
＜４．第４の実施の形態＞
［４−１．一時保留部の構成］
図１及び図２に示す第４の実施の形態による現金自動預払機３０１は、第１の実施の形態による現金自動預払機１と比べて、一時保留部３０５が一時保留部５と異なっているものの、それ以外は同様に構成されている。
【０１９２】
第４の実施の形態による現金自動預払機３０１は、現金自動預払機１とは異なり、第２の実施の形態において述べた、スレッド６０を有する図１６に示す紙幣ＢＬ１を取り扱っている。
【０１９３】
第４の実施の形態による一時保留部３０５においては、スレッド６０を有する紙幣ＢＬ１に対し、切れ目の入りやすいスレッド６０と紙部分６２との境目の左右両側をスクレーパ１７０により保持しつつ、紙幣ＢＬ１が左右に位置ずれした場合においても紙幣ＢＬ１を左右２つのスクレーパ１７０により常に保持するようにスクレーパ幅及びスクレーパ位置等が設定されている。
【０１９４】
［４−２．スレッドに対するスクレーパ幅及びスクレーパ位置の条件］
具体的には、図１６に示したように、右側搬送限界ライン５２ａからそれぞれ、紙幣ＢＬ１Ｒにおけるスレッド６０の右端までの距離を距離Ｌ２５、第１スクレーパ１７０ａの最小幅部分における右端までの距離を距離Ｌ２６、紙幣ＢＬ１Ｌの右端までの距離を距離Ｌ２７とする。さらに第１スクレーパ１７０ａのスクレーパ幅を長さＬ２８したとき、（１２）式が成り立つようにする。なお、図１６において第２スクレーパ１７０ｂは省略している。
【０１９５】
なおスレッド６０の左端は右端よりも内側に位置しており、当該スレッド６０の右端の外側を第１スクレーパ１７０ａで保持できていれば、スレッド６０の左端の外側を保持できていることになるため、左端については条件から省略する。
【０１９６】
（数１２）
Ｌ２７＜Ｌ２６……（１２）
【０１９７】
（１２）式は、紙幣ＢＬ１Ｒにおけるスレッド６０の右端よりも第１スクレーパ１７０ａの最小幅部分における右端の方が右側（外側）に位置する条件を表している。これにより一時保留部３０５は、紙幣ＢＬ１が最も右側に位置ずれした状態（紙幣ＢＬ１Ｒ）においても、第１スクレーパ１７０ａにより紙幣ＢＬ１Ｒにおけるスレッド６０の右端を保持することができる。
【０１９８】
さらに一時保留部３０５は、（１３）式が成り立つようにしている。
【０１９９】
（数１３）
Ｌ２６＞Ｌ２７−Ｌ２８……（１３）
【０２００】
（１３）式は、紙幣ＢＬ１Ｌの右端よりも第１スクレーパ１７０ａの最小幅部分における左端の方が左側（内側）に位置することを表している。これにより一時保留部３０５は、紙幣ＢＬ１が最も左側に位置ずれした状態（紙幣ＢＬ１Ｌ）においても、第１スクレーパ１７０ａにより紙幣ＢＬＬを保持することができる。
【０２０１】
（１２）式と（１３）式とを組み合わせると、下記（１４）式が成り立つ。すなわち一時保留部３０５においては、（１４）式が成り立つように、紙幣ＢＬ１の位置及びスレッド６０の位置に対する第１スクレーパ１７０ａのスクレーパ位置及びスクレーパ幅が設定されている。
【０２０２】
（数１４）
Ｌ２７−Ｌ２８＜Ｌ２６＜Ｌ２５……（１４）
【０２０３】
第１の実施の形態と同様、現金自動預払機３０１においては、複数種類のサイズの紙幣が取り扱われる。一時保留部３０５は、そのような紙幣のうち、紙幣幅の長さＬａが最も短い紙幣であっても、（１４）式を満たすように設定されている。
【０２０４】
また現金自動預払機３０１においては、紙幣の種類によって、紙幣における長辺方向の様々な位置にスレッドが設けられている。
【０２０５】
一時保留部３０５は、取り扱う複数種類の紙幣のうち、最もスレッドが外側に寄って設けられている紙幣であっても、（１４）式を満たすように設定されている。
【０２０６】
これにより一時保留部３０５は、当該一時保留部３０５において取り扱う全ての種類の紙幣を、常に左右２つのスクレーパ１７０で保持しつつ、紙幣に設けられたスレッド６０と紙部分６２との境目において発生する恐れのある切れ目の位置の両側を左右２つのスクレーパ１７０で保持することにより、紙幣の一部をたわませることなく、搬送することができる。
【０２０７】
以上においては、紙幣ＢＬ１における右端寄りにスレッド６０が設けられている場合について述べたが、図１７に示すように、紙幣ＢＬ１における左端寄りにスレッド６０が設けられている場合においては、上述した説明における左右方向を反転して設定すれば良い。
【０２０８】
具体的には、左側搬送限界ライン５２ｂからそれぞれ、紙幣ＢＬ１Ｌのスレッド６０の左端までの距離を距離Ｌ３５、第２スクレーパ１７０ｂの最小幅部分における左端までの距離を距離Ｌ３６、紙幣ＢＬ１Ｒの左端までの距離を距離Ｌ３７とする。さらに第２スクレーパ１７０ｂのスクレーパ幅を長さＬ３８とする。
【０２０９】
そして、上述した距離Ｌ２５、Ｌ２６、Ｌ２７及び長さＬ２８を距離Ｌ３５、Ｌ３６、Ｌ３７及び長さＬ３８に置き換えて、（１２）〜（１４）式が成り立つようにすれば良い。
【０２１０】
以上の構成によれば、一時保留部３０５は、スレッド６０が設けられた紙幣ＢＬ１を、常に左右２つのスクレーパ１７０で保持しつつ、切れ目が発生する恐れのある、紙幣ＢＬ１に設けられたスレッド６０と紙部分６２との境目部分の両側を左右２つのスクレーパ７０で保持することにより、紙幣の一部を反らせることなく、搬送することができる。
【０２１１】
＜５．第５の実施の形態＞
［５−１．一時保留部の構成］
図１及び図２に示す第５の実施の形態による現金自動預払機４０１は、第１の実施の形態による現金自動預払機１と比べて、一時保留部４０５が一時保留部５と異なっているものの、それ以外は同様に構成されている。
【０２１２】
第５の実施の形態による一時保留部４０５は、図１８に示すように、第１上側リール２７ａと第２上側リール２７ｂとの中間位置に第３上側リール２７ｃが設けられると共に、第１上側テープ３１ａと第２上側テープ３１ｂとの中間位置に、第３上側リール２７ｃに巻かれ第１上側テープ３１ａ及び第２上側テープ３１ｂと同じテープ幅を有する第３上側テープ３１ｃが設けられている。
【０２１３】
また一時保留部４０５は、第１下側リール３５ａと第２下側リール３５ｂとの中間位置に第３下側リール３５ｃが設けられている。
【０２１４】
さらに一時保留部４０５は、第１下側テープ３７ａと第２下側テープ３７ｂとの中間位置に、第３下側リール３５ｃに巻かれ第１下側テープ３７ａ及び第２下側テープ３７ｂと同じテープ幅を有し、紙幣ＢＬを挟んで第３上側テープ３１ｃに対向する位置に第３下側テープ３７ｃが設けられている。
【０２１５】
［５−２．動作及び効果］
上述したように、紙幣ＢＬは長辺方向に２つ折り又は４つ折りにされることが多いため、図１９に示すように、紙幣ＢＬの長手方向の中央部分に切れ目５０ｂが、長手方向の両端から長手方向長さの１／４だけ内側部分に切れ目５０ａが入り、合計２箇所に切れ目が入ることがある。
【０２１６】
第１の実施の形態による一時保留部５（図３）においてそのような切れ目の入った紙幣を取り扱うと、第１下側テープ３７ａ及び第２下側テープ３７ｂは、紙幣ＢＬの左右方向の外端部近傍に配置されているため、図２０に示すように、第１下側テープ３７ａと第２下側テープ３７ｂとの間に、２本の切れ目５０ａ及び５０ｂが共に位置してしまう可能性がある。
【０２１７】
そのような場合、第１下側テープ３７ａと第２下側テープ３７ｂ（すなわち第１テープ組と第２テープ組）とは、どちらも紙幣ＢＬにおける切れ目５０ａと５０ｂとの間部分を保持することができない。このため、紙幣ＢＬにおける切れ目５０ａと５０ｂとの間部分が、搬送中に垂れ下がってしまう恐れがある。
【０２１８】
これに対し本実施の形態による一時保留部４０５は、図１８及び図２１に示すように、それぞれ第１上側テープ３１ａと第２上側テープ３１ｂとの間に第３上側テープ３１ｃを、第１下側テープ３７ａと第２下側テープ３７ｂとの間に第３下側テープ３７ｃを、すなわち第１テープ組と第２テープ組との間に、第３テープ組を設けるようにした。これにより、一時保留部４０５は、切れ目５０ｂ部分を第３テープ組により挟持することができる。
【０２１９】
また、図２２に示すように紙幣ＢＬが例えば左側に位置ずれしたとしても、切れ目５０ａの左右両側には第３下側テープ３７ｃと第１下側テープ３７ａとが、切れ目５０ｂの左右両側には第２下側テープ３７ｂと第３下側テープ３７ｃとがそれぞれ設けられている。
【０２２０】
これにより一時保留部４０５は、それぞれ切れ目５０ａ及び５０ｂの左右両側をテープにより挟持することができる。
【０２２１】
このように、一時保留部４０５は、３本以上のテープ組を設けることにより、隣り合うテープ組同士の間に紙幣ＢＬにおける２本以上の切れ目が位置しない限り、紙幣ＢＬが切れ目から垂れ下がってしまうことを防止できる。
【０２２２】
＜６．他の実施の形態＞
なお上述した第１の実施の形態においては２組のテープ組を、第５の実施の形態においては３組のテープ組を左右方向に並べて配置したが、本発明はこれに限らず、４組以上のテープ組を左右方向に並べて配置して良い。
【０２２３】
この場合、テープ組同士の間隔が狭まるため、テープ組同士の間に切れ目が２本以上位置する可能性を下げることができる。
【０２２４】
また上述した第３の実施の形態においては、２つのスクレーパ７０を左右方向に並べて配置したが、本発明はこれに限らず、３つ以上の上側テープを設け、当該上側テープに対応させて３つ以上のスクレーパを設けても良い。
【０２２５】
さらに上述した実施の形態においては、長辺方向端から紙幣幅の１／４だけ内側の位置の切れ目に対応させてテープ位置及びテープ幅、並びにスクレーパ位置及びスクレーパ幅を設定したが、本発明はこれに限らず、現金自動預払機等の媒体処理装置で取り扱われる、商品券、各種チケット等の媒体の種類毎に切れ目が入る可能性が高い位置に対応させても良い。
【０２２６】
さらに上述した実施の形態においては、紙幣ＢＬを短辺方向に沿って搬送する場合について述べたが、本発明はこれに限らず、長辺方向に沿って搬送しても良い。その場合、例えば短辺方向に２つ折りされた場合を想定し、短辺方向の中央部分に切れ目がある場合に対応させてテープ位置及びテープ幅、並びにスクレーパ位置及びスクレーパ幅を設定すれば良い。また、スレッドが設けられた紙幣を長辺方向に沿って搬送するときは、紙幣の短辺の一端から他端まで長辺方向に沿って直線状に織り込まれたスレッドと、紙部分との境目に対応させれば良い。
【０２２７】
さらに上述した実施の形態においては、紙幣に切れ目が入りやすい箇所として、スレッドと紙部分との境目を挙げたが、本発明はこれに限らず、要は媒体において異なる材質が組み合わされた境目であれば良い。また、例えば切符等の端部がパンチで穴あけされたことにより切れ易くなった部分であっても良い。
【０２２８】
さらに上述した実施の形態においては、第１上側テープ３１ａ、第２上側テープ３１ｂ、第１下側テープ３７ａ及び第２下側テープ３７ｂを同じテープ幅としたが、本発明はこれに限らず、異なるテープ幅としても良い。
【０２２９】
さらに上述した第１の実施の形態においては、図３に示したように、搬送される紙幣ＢＬの上側に可動ガイド４０を、下側に搬送ガイド４４を設ける場合について述べた。
【０２３０】
しかしながら本発明はこれに限らず、図２３に示す一時保留部５０５のように、紙幣ＢＬの下側に可動ガイド４０を、上側に搬送ガイド４４を設けるようにしても良い。このような構成の場合、紙幣ＢＬの下側面は可動ガイド４０により保持されるため、紙幣ＢＬに切れ目が入っていたとしても、当該紙幣ＢＬの搬送方向の先端部は下側には垂れにくくなっている。しかしながら、紙幣ＢＬを繰り出す際に搬送される勢いにより、紙幣ＢＬが空間ＳＰを通過する際、紙幣ＢＬの一部が切れ目から上側に反り、搬送ガイド４４に衝突する可能性がある。
【０２３１】
これに対し一時保留部５０５においては、紙幣ＢＬの左右両端部を２組のテープにより挟持しているため、紙幣ＢＬが上方向へ反ることを抑止し、搬送ガイド４４に衝突してしまうことを防ぐことができる。
【０２３２】
さらに上述した第３の実施の形態においては、図１２に示したように、搬送される紙幣ＢＬの上側に可動ガイド４０を、下側に搬送ガイド４４及びスクレーパ７０を設ける場合について述べた。
【０２３３】
しかしながら本発明はこれに限らず、図２４に示す一時保留部６０５のように、紙幣ＢＬの下側に可動ガイド４０を、上側に搬送ガイド４４及びスクレーパ７０を設けるようにしても良い。このような構成の場合、紙幣ＢＬの下側面は可動ガイド４０により保持されるため、紙幣ＢＬに切れ目が入っていたとしても、当該紙幣ＢＬの搬送方向の先端部は下側には垂れにくくなっている。しかしながら、紙幣ＢＬを繰り出す際に搬送される勢いにより、紙幣ＢＬが空間ＳＰを通過する際、紙幣ＢＬの一部が切れ目から上側に反り、搬送ガイド４４に衝突する可能性がある。
【０２３４】
これに対し一時保留部６０５においては、紙幣ＢＬの上側面の左右両端部を２つのスクレーパ７０により保持しているため、紙幣ＢＬが上方向へ反ることを抑止し、搬送ガイド４４に衝突してしまうことを防ぐことができる。
【０２３５】
さらに上述した第３の実施の形態においては、図１３に示したように、第１スクレーパ７０ａ及び第２スクレーパ７０ｂがそれぞれ独立して回動する場合について述べたが、本発明はこれに限らず、例えば第１スクレーパ７０ａ及び第２スクレーパ７０ｂが、前方向側で一体化していてもよい。
【０２３６】
さらに上述した実施の形態においては、２組のテープ組における紙幣の切れ目又はスレッドに対するテープ幅及びテープ位置の条件を設定した。
【０２３７】
本発明はこれに限らず、３組以上のテープ組における紙幣の切れ目又はスレッドに対するテープ幅及びテープ位置の条件を設定しても良い。その場合、複数組のテープ組のうち、左右方向において最も外側に位置するテープ組が、上述した条件を満たすようにすれば良い。
【０２３８】
さらに上述した実施の形態においては、２つのスクレーパにおける紙幣の切れ目又はスレッドに対するスクレーパ幅及びスクレーパ位置の条件を設定した。
【０２３９】
本発明はこれに限らず、３つ以上のスクレーパにおける紙幣の切れ目又はスレッドに対するスクレーパ幅及びスクレーパ位置の条件を設定しても良い。その場合、複数個のスクレーパのうち、左右方向において最も外側に位置するスクレーパが、上述した条件を満たすようにすれば良い。
【０２４０】
さらに上述した第３の実施の形態においては、紙幣ＢＬＲ（図１４）の切れ目５０よりも第１スクレーパ７０ａの最小幅部分における右端の方が右側に位置する場合について述べた。
【０２４１】
本発明はこれに限らず、第１スクレーパ７０ａの前端部における最大幅部分の右端の方が紙幣ＢＬＲの切れ目５０よりも右側に位置する条件にしても良い。その場合、第１スクレーパ７０ａの最小幅部分の右端やや外側の位置に紙幣ＢＬＲの切れ目５０が存在していると、当該切れ目５０から紙幣ＢＬの一部が垂れる可能性はあるが、前方向に向かって幅が広がる第１スクレーパ７０ａにより、紙幣ＢＬが前方向に搬送されるに従い当該紙幣ＢＬを保持していくことができる。
【０２４２】
さらに上述した第３の実施の形態においては、紙幣ＢＬＬ（図１４）の右端よりも第１スクレーパ７０ａの最小幅部分における左端の方が左側に位置する場合について述べた。
【０２４３】
本発明はこれに限らず、第１スクレーパ７０ａの前端部における最大幅部分の左端の方が紙幣ＢＬＬの右端よりも左側に位置する条件にしても良い。その場合、第１スクレーパ７０ａの最小幅部分の左端やや内側の位置に紙幣ＢＬＬの右端が存在していると、当該紙幣ＢＬＬは第１スクレーパ７０ａにより保持されない可能性はあるが、前方向に向かって幅が広がる第１スクレーパ７０ａにより、紙幣ＢＬが前方向に搬送されるに従い当該紙幣ＢＬを保持していくことができる。
【０２４４】
さらに上述した実施の形態においては、現金を取引する現金自動預払機の一時保留部５において紙幣を収納し繰り出す際に本発明を適用する場合について述べた。
【０２４５】
しかしながら本発明はこれに限らず、例えば紙幣貯蔵部６等においても適用して良い。要は、ドラムとリール間でテープを巻き取ると共に巻き戻すことより、紙状の媒体を収納すると共に繰り出す装置であれば良い。
【０２４６】
さらに上述した実施の形態においては、媒体として紙幣について述べたが、本発明はこれに限らず、例えば商品券や金券、入場券、小切手、証書、切符等のような薄い紙状の媒体であれば良い。
【０２４７】
さらに上述した実施の形態においては、第１の一側リールとしての第１上側リール２７ａと、第１の一側テープとしての第１上側テープ３１ａと、第２の一側リールとしての第２上側リール２７ｂと、第２の一側テープとしての第２上側テープ３１ｂと、ドラムとしてのドラム２１と、第１の保持部としての第１下側リール３５ａ及び第１下側テープ３７ａと、第２の保持部としての第２下側リール３５ｂ及び第２下側テープ３７ｂとによって媒体収納繰出装置としての一時保留部を構成する場合について述べた。
【０２４８】
しかしながら本発明はこれに限らず、その他種々の構成でなる第１の一側リールと、第１の一側テープと、第２の一側リールと、第２の一側テープと、ドラムと、第１の保持部と、第２の保持部とによって媒体収納繰出装置を構成するようにしても良い。
【０２４９】
さらに上述した実施の形態においては、媒体搬送路としての搬送路７と、媒体入出口としての紙幣入出口２２と、第１の一側リールとしての第１上側リール２７ａと、第１の一側テープとしての第１上側テープ３１ａと、第２の一側リールとしての第２上側リール２７ｂと、第２の一側テープとしての第２上側テープ３１ｂと、ドラムとしてのドラム２１と、第１の保持部としての第１下側リール３５ａ及び第１下側テープ３７ａと、第２の保持部としての第２下側リール３５ｂ及び第２下側テープ３７ｂとによって媒体処理装置としての現金自動預払機１を構成する場合について述べた。
【０２５０】
しかしながら本発明はこれに限らず、その他種々の構成でなる媒体搬送路と、媒体入出口と、第１の一側リールと、第１の一側テープと、第２の一側リールと、第２の一側テープと、ドラムと、第１の保持部と、第２の保持部とによって媒体処理装置を構成するようにしても良い。
【産業上の利用可能性】
【０２５１】
本発明は、搬送された紙幣等の紙状の媒体を収納すると共に繰り出す種々の装置でも利用できる。
【符号の説明】
【０２５２】
１、１０１、２０１、３０１、４０１……現金自動預払機、２……筐体、３……接客部、５、１０５、２０５、３０５……一時保留部、７……搬送路、１２……紙幣入出金口、２１……ドラム、２３……フレーム、２５……ドラム軸、２７ａ……第１上側リール、２７ｂ……第２上側リール、２７ｃ……第３上側リール、２９……リール軸、３１ａ……第１上側テープ、３１ｂ……第２上側テープ、３１ｃ……第３上側テープ、３３……上側アイドルプーリ、３５ａ……第１下側リール、３５ｂ……第２下側リール、３５ｃ……第３下側リール、３７ａ……第１下側テープ、３７ｂ……第２下側テープ、３７ｃ……第３下側テープ、３９……下側アイドルプーリ、４０……可動ガイド、４２……従動ローラ、４４……搬送ガイド、４５……回転軸、５０……切れ目、５１……搬送幅、５２ａ……右側搬送限界ライン、５２ｂ……左側搬送限界ライン、６０……スレッド、７０ａ、１７０ａ……第１スクレーパ、７０ｂ、１７０ｂ……第２スクレーパ。
【図１】
0005440566.tif 000002
【図２】
0005440566.tif 000003
【図３】
0005440566.tif 000004
【図４】
0005440566.tif 000005
【図５】
0005440566.tif 000006
【図６】
0005440566.tif 000007
【図７】
0005440566.tif 000008
【図８】
0005440566.tif 000009
【図９】
0005440566.tif 000010
【図１０】
0005440566.tif 000011
【図１１】
0005440566.tif 000012
【図１２】
0005440566.tif 000013
【図１３】
0005440566.tif 000014
【図１４】
0005440566.tif 000015
【図１５】
0005440566.tif 000016
【図１６】
0005440566.tif 000017
【図１７】
0005440566.tif 000018
【図１８】
0005440566.tif 000019
【図１９】
0005440566.tif 000020
【図２０】
0005440566.tif 000021
【図２１】
0005440566.tif 000022
【図２２】
0005440566.tif 000023
【図２３】
0005440566.tif 000024
【図２４】
0005440566.tif 000025
【図２５】
0005440566.tif 000026
【図２６】
0005440566.tif 000027
【図２７】
0005440566.tif 000028
【図２８】
0005440566.tif 000029
【図２９】
0005440566.tif 000030
【図３０】
0005440566.tif 000031